(57)【要約】センサ位置付けおよび安定化デバイスが、提供される。センサ位置付けおよび安定化デバイスは、Ｘ線を撮影するために、患者がそれを噛合する、または手で定位置に保持することを要求せずに、インプラント外科手術の間、歯科用Ｘ線フィルムまたはデジタルセンサを保持および安定化させる。口腔内Ｘ線用位置付けおよび安定化センサのための位置付けおよび安定化デバイスは、中に伸長受容チャネルを画定する実質的円筒形本体であって、本体は、縦軸を含む、実質的円筒形本体と、本体の第１の側に動作可能に接続された少なくとも１つの伸長アームであって、伸長アームは、円筒形本体の第１の側から側方に延在する、少なくとも１つの伸長アームと、本体の第２の側に動作可能に接続されたフィンガタブ部分とを備える。
2015509759.tif 000002
【特許請求の範囲】
【請求項１】
口腔内Ｘ線用位置付けおよび安定化センサのための位置付けおよび安定化デバイスであって、
中に伸長受容チャネルを画定する実質的円筒形本体であって、前記本体は、縦軸を含む、実質的円筒形本体と、
前記本体の第１の側に動作可能に接続された少なくとも１つの伸長アームであって、前記伸長アームは、前記円筒形本体の第１の側から側方に延在する、少なくとも１つの伸長アームと、
前記本体の第２の側に動作可能に接続されたフィンガタブ部分と
を備える、位置付けおよび安定化デバイス。
【請求項２】
前記伸長受容チャネルは、歯科用ドリルシャンクを摺動可能に収容するための構造である、請求項１に記載の位置付けおよび安定化デバイス。
【請求項３】
前記少なくとも１つの伸長アームは、前記本体の第１の側に弾性的に接続された弾性フランジ部分を含む、請求項１に記載の位置付けおよび安定化デバイス。
【請求項４】
前記弾性フランジ部分は、前記本体に実質的に垂直に延在する、請求項３に記載の位置付けおよび安定化デバイス。
【請求項５】
前記少なくとも１つの伸長アームは、歯科用センサを保持するためのＣ形状断面チャネルを含む、請求項３に記載の位置付けおよび安定化デバイス。
【請求項６】
前記Ｃ形状断面チャネルは、前記本体の縦軸に平行である、請求項５に記載の位置付けおよび安定化デバイス。
【請求項７】
前記少なくとも１つの伸長アームは、第１および第２の伸長アームを備える、請求項４に記載の位置付けおよび安定化デバイス。
【請求項８】
前記フランジ部分は、前記第１および第２のアームが、初期位置から第２の位置に弾性的に枢動することを可能にする、請求項７に記載の位置付けおよび安定化デバイス。
【請求項９】
前記フィンガタブ部分は、前記受容チャネルの第２の側に動作可能に接続されている、請求項１に記載の位置付けおよび安定化デバイス。
【請求項１０】
前記フィンガタブ部分は、前記受容チャネルの第２の側から、半径方向外向きおよび下向きに延在する、請求項１に記載の位置付けおよび安定化デバイス。
【請求項１１】
前記フィンガタブ部分はさらに、上側要素および下側要素を備える、請求項１に記載の位置付けおよび安定化デバイス。
【請求項１２】
前記下側要素は、曲線外形を有する、請求項１１に記載の位置付けおよび安定化デバイス。
【請求項１３】
前記上側要素は、直線外形を有する、請求項１１に記載の位置付けおよび安定化デバイス。
【請求項１４】
口腔内Ｘ線用位置付けおよび安定化センサのための位置付けおよび安定化システムであって、
縦軸を有する伸長受容チャネルであって、前記伸長受容チャネルは、インプラントドライバのドリルビットまたはシャンクを摺動可能に受容するように構成されている、伸長受容チャネルと、
歯科用センサであって、前記歯科用センサが前記伸長受容チャネルの縦軸に平行であるように、前記歯科用センサは、前記伸長受容チャネルに動作可能に連結されている、歯科用センサと
を備える、位置付けおよび安定化システム。
【請求項１５】
前記センサは、患者が前記センサに力を印加することなく、安定化される、請求項１４に記載の位置付けおよび安定化システム。
【請求項１６】
前記受容チャネルの第１の側に動作可能に接続された少なくとも１つの伸長アームをさらに備える、請求項１４に記載の位置付けおよび安定化システム。
【請求項１７】
前記少なくとも１つの伸長アームは、弾性材料を備える、請求項１６に記載の位置付けおよび安定化システム。
【請求項１８】
前記少なくとも１つの伸長アームはさらに、歯科用センサを受容するための２つの実質的Ｃ形状断面チャネルを備える、請求項１６に記載の位置付けおよび安定化システム。
【請求項１９】
前記Ｃ形状断面チャネルは、前記伸長受容チャネルの縦軸に平行である、請求項１８に記載の位置付けおよび安定化システム。
【請求項２０】
口腔内Ｘ線用位置付けおよび安定化センサのための位置付けおよび安定化システムであって、インプラントドライバのインプラントドリルビットまたはシャンクを受容するための伸長受容チャネルを備える位置付けおよび安定化システムに動作可能に連結された歯科用センサを備え、前記歯科用センサは、前記伸長受容チャネルに平行である、位置付けおよび安定化システム。
【請求項２１】
患者干渉は、前記歯科用センサを安定化させるために要求されない、請求項１７に記載の位置付けおよび安定化システム。
【請求項２２】
口腔内Ｘ線用位置付けおよび安定化センサのための位置付けおよび安定化システムであって、
縦軸を有する伸長受容チャネルであって、前記伸長受容チャネルは、インプラントドライバのドリルビットまたはシャンクを摺動可能に受容するように構成されている、伸長受容チャネルと、
歯科用センサであって、前記歯科用センサが前記伸長受容チャネルの縦軸に対して平行な状態から、前記伸長受容チャネルの縦軸から約１０度ずれた状態に位置付けられるように、前記歯科用センサは、前記伸長受容チャネルに動作可能に連結されている、歯科用センサと
を備える、位置付けおよび安定化システム。
【請求項２３】
口腔内Ｘ線用位置付けおよび安定化センサのための位置付けおよび安定化システムであって、
縦軸を有する伸長受容チャネルであって、前記伸長受容チャネルは、インプラントドライバのドリルビットまたはシャンクを摺動可能に受容するように構成されている、伸長受容チャネルと、
歯科用センサであって、前記歯科用センサが前記伸長受容チャネルの縦軸から鋭角に位置付けられるように、前記歯科用センサは、前記伸長受容チャネルに動作可能に連結されている、歯科用センサと
を備える、位置付けおよび安定化システム。
【請求項２４】
前記鋭角は、約０．０１度〜約１０度である、請求項２３に記載の位置付けおよび安定化システム。
【請求項２５】
口腔内Ｘ線用位置付けおよび安定化センサのための位置付けおよび安定化システムであって、
アクチュエータ部分であって、前記アクチュエータ部分は、作動位置と非作動位置との間で移動可能である、アクチュエータ部分と、
前記アクチュエータ部分に動作可能に連結された本体部分であって、前記本体部分は、前記非作動位置から前記作動位置への前記アクチュエータ部分の移動に応答して、閉鎖位置と開放位置との間で移動可能な少なくとも１つの伸長受容チャネルを画定し、前記伸長受容チャネルは、前記少なくとも１つの伸長チャネルが前記閉鎖位置から前記開放位置に移動すると、ドリルビットまたはインプラントドライバに係合するように構成されている、本体部分と、
前記本体に動作可能に連結され、センサを受容するように構成されたセンサホルダと
を備える、位置付けおよび安定化システム。
【請求項２６】
前記アクチュエータ部分は、２つのフィンガ把持弾性アームを含む、請求項２５に記載の位置付けおよび安定化システム。
【請求項２７】
前記センサホルダ、前記本体、および前記アクチュエータ部分は、一体的に形成される、請求項２５に記載の位置付けおよび安定化システム。
【請求項２８】
前記センサホルダ、前記本体、および前記アクチュエータ部分のうちの少なくとも１つは、非一体的に形成される、請求項２５に記載の位置付けおよび安定化システム。
【請求項２９】
前記センサホルダの面に動作可能に連結されたシースをさらに備える、請求項２５に記載の位置付けおよび安定化システム。
【請求項３０】
前記シースは、前記センサホルダの面に接着連結されている、請求項２９に記載の位置付けおよび安定化システム。
【請求項３１】
前記シースは、前記センサホルダの面に可撤性に連結されている、請求項２９に記載の位置付けおよび安定化システム。
【発明の詳細な説明】
【技術分野】
【０００１】
（関連出願のデータ）
本出願は、２０１２年１月２８日に出願された米国出願第１３／５３６，０５５号に対して優先権を主張する国際出願であり、米国出願第１３／５３６，０５５号は、２０１２年１月２６日に出願された米国出願第１３／３５９，１５２号の一部継続出願であり、米国出願第１３／３５９，１５２号は、２０１１年１月２６日に出願された米国仮特許出願第６１／４３６，４６３号の利益を主張する。上記文献の全ては、参照することによって本明細書において援用される。
【０００２】
（発明の分野）
本発明は、概して、インプラント外科手術の間、歯科用Ｘ線フィルムまたはデジタルセンサを位置付け、保持、および安定化するための位置付けデバイスに関する。より具体的には、本発明は、Ｘ線を撮影するために、患者がそれを噛合する、または手で定位置に保持することを要求しない、改良された歯科用位置付けおよび安定化デバイスに関する。
【背景技術】
【０００３】
（発明の背景）
歯科医は、典型的には、診断および治療を補助するために、口腔内レントゲン写真（「Ｘ線」）を使用して、その患者の歯の画像を取得する。従来の口腔および歯科用Ｘ線撮影では、電子センサは、検査される歯の背後において、患者の口内に配置される。電子センサまたはフィルムは、位置付けデバイスに固着される、あるいはカートリッジ、典型的には、厚紙またはプラスチック内に含有される。センサは、歯の背後に配置される一方、ホルダは、噛合面積を通して延在し、患者は、センサを定位置に保持するためのホルダを噛合する。Ｘ線は、歯と、Ｘ線を電気信号に変換する、センサ上の印象を通過する。電気信号は、直接または中間処理回路を含有するモジュールを通してのいずれかにおいて、コンピュータに接続されるワイヤを経由して伝送される。コンピュータは、次いで、信号を処理し、モニタまたはプリンタ等の関連付けられた出力デバイス上に画像を生成する。同様に、Ｘ線フィルムは、露光および現像され、所望の面積の同一または類似ビューをもたらすことができる。
【０００４】
多数のセンサホルダが、市販されているが、ほとんどの従来の例では、患者は、歯科医またはスタッフがＸ線を撮影する間、噛合するか、または指を使用してのいずれかにおいて、センサを定位置に保持しなければならない。
【０００５】
口腔内Ｘ線はまた、歯科用インプラント外科手術において要求される。歯科用インプラント外科手術は、損傷または欠損歯と、実際の歯のように見え、かつ同様に機能する、人工歯と交換する手技である。歯科用インプラントは、顎骨内に外科手術で配置され、欠損歯の歯根としての役割を果たす。インプラントを設置するために、外科医は、患者の組織および骨を穿孔するために、ドライバおよびビットを含む、歯科用ドリルを使用する。チタンインプラントは、ドライバによって骨内に螺入される、ねじ山付き外側部分を含む。橋脚歯部分は、チタンインプラントに連結され、患者の歯肉から、口腔空洞内に延在する。化粧歯が、次いで、橋脚歯部分に取着される。歯科用インプラントは、多くの場合、隣接する歯に近接して配置され、インプラントを設置する際の隣接する歯の歯根への穿孔は、回復不能な傷害を生じさせ得る。その結果、インプラントは、隣接する歯の歯根に対して可能な限り実質的に平行に設置されることが重要である。歯科医が、穿孔された孔の正確かつ実質的に平行な配置を確認し得るように、ドリルおよびドリルビットを患者の顎／骨から除去するのに先立って、Ｘ線を撮影することが理想的であろう。しかしながら、本タスクは、いくつかの要因によって複雑となる。第１に、Ｘ線撮影されるドリルビットは、咬合平面より高い。したがって、噛合ブロックセンサホルダが使用され、患者が、センサ／フィルムホルダを安定させようとして、噛合する必要がある場合、ドリルビットは、噛合作用に干渉し、したがって、安定化を妨害するであろう。第２に、患者が鎮静されている場合、センサを噛合またはその指で保持する命令に従うことが不可能である。最後に、患者にセンサ／フィルムホルダを保持することを依頼することは、手術野に細菌を導入し、可能性として、インプラントおよび関連付けられた骨移植製品の可能性として考えられる汚染をもたらし得る。
【０００６】
したがって、患者にセンサ／フィルムカートリッジまたはホルダを噛合または定位置に保持させる従来の方法論（本明細書では、「患者干渉」と称される）とは異なる、Ｘ線位置付けデバイスの必要性がある。また、患者の快適性を改善する、Ｘ線位置付けデバイスの必要性がある。
【発明の概要】
【課題を解決するための手段】
【０００７】
（発明の簡単な要約）
故に、本発明は、前述の問題を克服する、センサ位置付けおよび安定化デバイスを提供する。より具体的には、本発明は、歯科医が、患者の顎骨を通して穿孔後、デバイスが、ドリルビットまたはインプラントドライバシャンクに動作可能に連結される、センサ／フィルム位置付けおよび安定化デバイスを提供する。
【０００８】
本発明はまた、患者に、それを定位置に保持するために、デバイスにいかなる力も付与することも要求しない、センサ位置付けおよび安定化デバイスを提供する。
【０００９】
本発明はまた、噛合ホルダの必要性を排除する、センサ位置付けおよび安定化デバイスを提供する。
【００１０】
本発明はまた、センサの容易な除去を可能にする、センサ位置付けおよび安定化デバイスを提供する。
【００１１】
本発明はまた、任意の幅、長さ、またはサイズのセンサと併用され得る、センサ位置付けおよび安定化デバイスを提供する。
【００１２】
本発明は、外科医に、センサを配向するためのさらなる自由度を提供する、フィンガ位置付けタブを含む。
【００１３】
さらに、本発明は、比較的に薄く、これはまた、センサ位置付けおよび安定化デバイスの改良された人間工学に寄与し、センサが、標的面積により接近することを可能にし、それによって、センサによってコンピュータに伝送される画像データを改善する。
【００１４】
さらに、位置付けおよび安定化システムは、縦軸を有する、伸長受容チャネルを含み、該伸長受容チャネルは、インプラントドライバのドリルビットまたはシャンクを摺動可能に受容するように構成され、歯科用センサは、該歯科用センサが、該伸長受容チャネルの縦軸に実質的に平行であるように、該伸長受容チャネルに動作可能に連結される。
【００１５】
さらに、本発明は、インプラントドライバのインプラントドリルビットまたはシャンクを受容するための伸長受容チャネルを備える、位置付けおよび安定化システムに動作可能に連結される、歯科用センサを含み、歯科用センサは、該伸長受容チャネルに実質的に平行である。
【００１６】
本発明のさらなる特徴は、付随の図面を参照して、以下の発明を実施するための形態から明白となるであろう。
【００１７】
本発明のさらなる理解のために、かつ本発明が実施され得る方法を示すために、ここで、一例として、付随の図面を参照する。
【図面の簡単な説明】
【００１８】
【図１Ａ】図１Ａは、患者の歯肉から口腔内に延在する、ドリルビットを示す。
【図１Ｂ】図１Ｂは、図１Ａの正しく整合されていないドリルビットのＸ線である。
【図２】図２は、本発明による、歯科用センサ位置付けおよび安定化デバイスの斜視図である。
【図３】図３は、本発明による、歯科用センサ位置付けおよび安定化デバイスの第１の代替実施形態の斜視図である。
【図４】図４は、本発明による、歯科用センサ位置付けおよび安定化デバイスの側面図である。
【図５】図５は、本発明による、歯科用センサ位置付けおよび安定化デバイスの上面図である。
【図６Ａ】図６Ａは、歯列弓の背後に配置されたセンサを伴うインプラントドライバに取着された、本発明による、歯科用センサ位置付けおよび安定化デバイスの上面図である。
【図６Ｂ】図６Ｂは、歯列弓の背後に配置されたセンサを伴うドリルビットに取着されたデバイスを伴う、本発明による、歯科用センサ位置付けおよび安定化デバイスの側面図である。
【図７Ａ】図７Ａは、本発明による、歯科用センサ位置付けおよび安定化デバイスの第２の実施形態の斜視図である。
【図７Ｂ】図７Ｂは、図７Ａの実施形態の上面図である。
【図８】図８は、隣接する歯に関連して正しく整合されたインプラントのＸ線である。
【発明を実施するための形態】
【００１９】
（発明の詳細な説明）
前述のように、本発明は、歯科用Ｘ線センサを位置付け、安定化、および整合するための歯科用センサ位置付けおよび安定化デバイスを備える。位置付けデバイスは、噛合ホルダ、ブロック、または他の機構、あるいは患者が、デバイスを噛合する、またはデバイスを定位置に保持する等のいかなる患者干渉も要求しない。本明細書で使用されるように、センサおよびフィルムの両方を包含するものとして、「センサ」を指す。
【００２０】
図１Ａは、インプラントのための孔が穿孔された後の、鎮静された患者の口腔を示す。ドリルビットのシャンク部分は、１〜２センチメートルだけ歯肉から口腔内に延在して見られ得、一見、隣接する歯と平行するように見える。しかしながら、図１Ｂから分かるように、ドリルビットは、隣接する歯の歯根と平行ではない。図１Ｂは、インプラント外科手術の際の正しく整合されていないドリルビットのＸ線であって、本発明が解決するように設計される問題を強調する。この場合、ドリルビットが除去され、インプラントが隣接する歯根に恒久的に配置される場合、回復不能に損傷され、可能性として、歯の損失をもたらすであろう。加えて、インプラントが、大部分の歯冠側面（クラウン近傍）において、隣接する歯に近接して配置される場合、過剰な骨の損失が生じ、審美的転帰不良をもたらし得る。
【００２１】
次に、図２から５を参照すると、本発明のある実施形態による、例示的歯科用位置付けおよび安定化デバイスが、示される。位置付けおよび安定化デバイス１０は、一体的に形成された伸長アーム１４、１６と、その第１の側３０および第２の側３２側を有する本体１８と、フィンガタブ部分２０とを有する。本体１８は、縦軸を有し、開口２１を含む、伸長受容チャネル１９を備える。開口２１は、インプラント孔が穿孔された後、患者の歯肉から、口腔内に延在する、ドリルビットのシャンク部分（図１Ａにおいて最も良く見られるように）を受容するように定寸される。開口２１は、伸長受容チャネル１９を形成する。本発明のある実施形態では、開口２１は、内径が約２．４５ｍｍ〜約２．２５ｍｍであるように定寸される。伸長受容チャネル１９は、歯科用ドリルビットのシャンク部分またはインプラントドライバシャンクを摺動可能に収容するように設計される。しかしながら、伸長受容チャネルはまた、歯科用位置付けおよび安定化デバイスが、ドリルビット上の定位置に来た後、デバイスが、ドリルビットにしっかりと固定されるように、歯科用ドリルビットまたはインプラントドライバのシャンク部分に摩擦係合するように設計される。
【００２２】
アーム１４、１６はそれぞれ、それぞれ、弾性フランジ２２、２４を含む。フランジ２２、２４は、伸長アームを円筒形形状本体１８に動作可能かつ弾性的に接続するように作用する。当業者は、本体１８が、円形または円筒形形状であるように描写されるが、多くの他の形状が想定され、本発明の範囲内であることを理解するであろう。伸長アーム１４、１６は、Ｃ形状断面であって、センサを把持し、定位置に安定化させるように設計される、クランプを形成する、センサチャネル２６を含む。定位置に安定化されると、センサは、伸長受容チャネル１９の縦軸に実質的に平行となる。実質的に平行とは、センサが、伸長受容チャネルの縦軸に精密に平行な状態から、伸長受容チャネル１９の縦軸から鋭角に移動することができることを意味する。言い換えると、センサは、伸長受容チャネルの縦軸から鋭角に位置付けられることができ、鋭角は、０．１度〜約４５度である。
【００２３】
位置付けデバイスは、フランジ２２、２４が、初期位置（示される）から第２の開放位置に伸長アーム１４、１６を弾性的かつ容易に枢動させるように、ポリプロピレンまたは同等物等の弾性または可撓性材料から形成される。第２の位置にある間、センサチャネル２６は、歯科用センサを収容し、次いで、チャネル２６が、チャネル２６内に安定化されるようにセンサをぴったりと囲繞する、初期位置に弾性的に戻る。アーム１４、１６は、フランジ２２、２４と一体的に形成される。フランジ２２、２４は、伸長チャネル１８の第１の側３０と一体的に形成され、そこから側方に延在する。弾性フランジ２２、２４は、前述のように、初期位置から第２の位置へのアーム１４、１６の弾性および可撓性移動に対応する。当業者は、本発明の範囲内にある多数の実施形態が、可能性として考えられることを理解するであろう。例えば、フランジ２２および２４は、本体１８と一体的に形成される必要はなく、本発明の範囲から逸脱することなく、接着剤、接続タブ、および他のそのような手段によって、動作可能に接続されてもよい。同様に、１つのフランジは、中心本体から側方に延在してもよい。そのような１つのフランジは、センサまたはフィルムを受容するチャネルを有する、２つの弾性アームを含んでもよい。さらに、当業者は、歯科用センサを伸長受容チャネルの縦軸に実質的に平行に保持するように設計され、患者干渉を要求しない、いかなるシステムも、本発明の範囲内であることを理解するであろう。
【００２４】
フィンガタブ部分２０は、本体１８の第２の側３２に動作可能に接続され、それと一体的に形成される。当業者は、フィンガタブ部分が、円周方向本体１８と一体的に形成される必要はなく、本発明の範囲から逸脱することなく、接着剤、接続タブ、および他のそのような手段によって、動作可能に接続されてもよいことを理解するであろう。フィンガタブ部分２０は、概して、該円周方向本体１９から半径方向外向きおよび若干下向きに延在する。フィンガタブ部分は、上側３６および下側３８要素と、タブ部分４４とを含む。上側要素３６は、円周方向本体１８の第２の側３２から半径方向外向きに延在する、第１の略直線部分３４を含む。下側要素３８は、曲線部分４０を含み、円周方向本体１８の第２の側３２から半径方向外向きおよび下向きに延在する。タブ部分４４は、上側および下側要素３６、３８から側方に延在する。上側および下側要素３６、３８ならびにタブ部分４４は、外科医が、容易に把持し、センサ位置付けおよび安定化デバイス１０を歯の背後に精密に位置付けることができ、穿孔された孔内のドリルビットのＸ線が撮影され得るように、人間工学的に設計される（図１Ｂに最も良く見られるように）。
【００２５】
図３は、伸長受容チャネル３１９が、図２に描写される実施形態より長さが実質的に長く、フィンガタブ部分３２０が、半径方向外向きに延在し、伸長アーム３１４、３１６に実質的に垂直である、本発明による、センサ位置付けおよび安定化デバイス３００の実施形態を描写する。しかしながら、当業者は、伸長受容チャネル３１９が、可変ドリルビット長および患者歯列外形を収容するための任意の長さであってもよいことを理解するであろう。位置付けデバイス３１０は、一体的に形成される伸長アーム３１４、３１６と、その第１の３３０側および第２の側３３２を有する本体３１８と、フィンガタブ部分３２０とを含む。本体３１８は、開口３２１を伴う、伸長受容チャネル３１９を備える。開口３１９は、インプラント孔が穿孔された後、患者の歯肉から、口腔内に延在する、ドリルビットまたはインプラントドライバのシャンク部分（図１Ａに最も良く見られる）を受容するように定寸される。伸長受容チャネル３１９は、歯科用ドリルビットのシャンク部分を摺動可能に収容するように設計される。
【００２６】
アーム３１４、３１６はそれぞれ、それぞれ、弾性フランジ３２２、３２４を含む。フランジ３２２、３２４は、伸長アームを円周方向本体３１８に動作可能かつ弾性的に接続するように作用する。伸長アーム３１４、３１６は、Ｃ形状断面であって、センサを把持し、それを定位置に安定化させるように設計される、クランプを形成する、センサチャネル３２６を含む。位置付けデバイスは、フランジ３２２、３２４が、伸長アーム３１４、３１６を初期位置（示される）から第２の開放位置に弾性的におよび容易に枢動させるように、ポリプロピレンまたは同等物の弾性または可撓性材料から形成される。アームが開放位置にある間、センサチャネル３２６は、歯科用センサまたはフィルムを収容し、次いで、チャネル３２６が、チャネル２６内に安定化されるようにセンサをぴったりと囲繞する、初期位置に弾性的に戻る。アーム３１４、３１６は、フランジ３２２、３２４と一体的に形成されてもよい。フランジ３２２、３２４は、順に、伸長チャネル３１８の第１の側３３０と一体的に形成され、そこから側方に延在する。弾性フランジ３２２、３２４は、前述のように、初期位置から第２の位置へのアーム３１４、３１６の弾性および可撓性移動に対応する。当業者は、本発明の範囲内にある多数の実施形態が、可能性として考えられることを理解するであろう。例えば、フランジ３２２および３２４は、本体３１８と一体的に形成される必要はなく、本発明の範囲から逸脱することなく、接着剤、接続タブ、および他のそのような手段によって、動作可能に接続されてもよい。同様に、前述のように、１つのフランジが、中心本体から側方に延在してもよい。そのような１つのフランジは、センサまたはフィルムを受容するチャネルを有する、２つの弾性アームを含んでもよい。
【００２７】
図３に描写されるように、フィンガタブ部分３２０は、本体３１８の第２の側に動作可能に接続され、それと一体的に形成される。フィンガタブ部分３２０は、円周方向本体３１８から半径方向外向きに延在する。フィンガタブ部分は、タブ部分３４４を含む。タブ部分３４４は、直線部分３３４から側方に延在し、外科医が、容易に把持し、センサ位置付けおよび安定化デバイス３１０を歯の背後に精密に位置決めすることができ、穿孔された孔内のドリルビットのＸ線が撮影され得るように設計される（図１Ｂに最も良く見られるように）。
【００２８】
図４は、フィンガタブ部分２０に関する詳細を伴う、本発明による、歯科用センサ位置付けおよび安定化デバイス１０の側面図である。フィンガタブ部分２０は、タブ本体４０を含む。フィンガタブ部分２０は、概して、該円周方向本体１９から半径方向外向きおよび若干下向きに延在する。フィンガタブ部分は、上側３６および下側３８要素と、タブ部分４４とを含む。上側要素３６は、円周方向本体１８の第２の側３２から半径方向外向きに延在する、第１の略直線部分３４を含む。下側要素３８は、曲線部分４０を含み、円周方向本体１８の第２の側３２から半径方向外向きおよび下向きに延在し、タブ部分４４は、上側および下側要素３６、３８から側方に延在する。上側および下側要素３６、３８およびタブ部分４４は、外科医が、容易に把持し、センサ位置付けおよび安定化デバイス１０を歯の背後に精密に位置付けすることができ、穿孔された孔内のドリルビットのＸ線が撮影され得るように（図１Ｂに最も良く示されるように）、人間工学的に設計される。フィンガタブ部分２０、したがって、歯科用センサ位置および安定化デバイス１０は、インプラントが位置するであろう場所、すなわち、上側または下側歯肉線に応じて、上向きにまたは下向きに配向されてもよい。随意の隆起されたリッジ４６は、タブ部分４４を囲繞し、外科医が、フィンガタブ部分２０をしっかりと把持することを可能にするように設計される。
【００２９】
図５は、開口フランジ２２、２４およびＣ形状断面センサチャネル２６に関する詳細を示す、本発明による、センサ位置付けおよび安定化デバイス１０の上面図を描写する。
【００３０】
図６Ａは、本発明の一側面による、使用時の歯科用センサ位置付けおよび安定化デバイス１０の上面図である。図から分かるように、位置付けおよび安定化デバイス１０は、インプラントドリルビット６０によって、開口２１を通して、伸長受容チャネル１９内に摺動可能に受容されている。センサ６２は、センサチャネル２６内に受容され、それによって保持され、したがって、咬合平面６６の上方の歯列弓６４の背後に容易に位置付けられることを可能にする。
【００３１】
図６Ｂは、動作時における、本発明による、歯科用センサ位置付けおよび安定化デバイス１０の側面図である。歯科医は、最初に、隣接する歯に並んで平行位置に可能な限り近くなるように、患者の粘膜７０および骨６８を通して穿孔する。図から分かるように、位置付けおよび安定化デバイス１０は、次いで、図６Ａにも見られるように、インプラントドリルビット６０によって摺動可能に受容される。センサ６２は、センサチャネル２６内に位置付けられ、咬合平面６６の上方の歯列弓６４の背後のフィンガタブ部分２０によって、ドリルビットのＸ線を撮影するために正確な位置に、左右に移動可能に位置付けられる。ドリルビットが定位置に来ると、歯科医は、次に、Ｘ線を撮影し、それをコンピュータ画面上で読影する。ドリルビットが、隣接する歯構造に平行に位置付けられる場合、歯科用センサ位置付けデバイスは、ドリルビット６０から除去され、第２のより大きいドリルビットが、既存の孔を拡大させるために使用される。Ｘ線を撮影するプロセスは、歯科用インプラントが固着されるであろう孔が隣接する歯構造に平行であることを確実にするために、外科医の所望に応じて、何回でも繰り返されてもよい。Ｘ線が、ドリルビットの初期穿孔が平行ではないことを示す場合は、センサ位置付けデバイスは、除去され、第２の大きいドリルビットが、既存の孔を通して穿孔し、孔の経路を補正するために使用される。センサ位置付けデバイスは、次いで、ドリルビット上に配置され（ドリルは除去される）、別のＸ線が、位置を検証するために撮影される。歯科用外科医は、ドリルビットが、正確に位置付けられ、隣接する歯と実質的に平行であることを検証するために、所望に応じて、何回でもプロセスを繰り返してもよい。ドリルビットは、次いで、除去され、図８に最も良く見られるように、インプラント７２と交換される。
【００３２】
次に、図７Ａおよび７Ｂを参照すると、本発明による、歯科用センサ位置付けおよび安定化デバイス７１０の代替実施形態が、示される。歯科用センサ位置付けおよび安定化デバイス７１０は、概して、センサ面７１３を有する、センサホルダ７１２と、その縦軸７１９に垂直に位置付けられる複数の伸長受容チャネルを画定する、本体７１４と、第１および第２の弾性アーム７２０、７２２を画定する、アクチュエータ部分７１９とを含む。本体７１４は、センサホルダ７１２と一体的に形成されてもよいが、しかしながら、当業者は、本体７１４がまた、センサホルダ７１２と接着継合またはスナップ嵌合され得ることを理解するであろう。
【００３３】
好ましい構造では、センサホルダ７１２、本体７１４、およびアクチュエータ部分７１９は、単一構成要素として一体的に形成されてもよい。例えば、ある構造では、センサホルダ７１２、本体７１４、およびアクチュエータ部分７１９は、１つの製造ステップにおいて、単一部品として射出成形される。歯科用センサ位置付けおよび安定化デバイス７１０を一体的に成形することによって、デバイスの全体的コストが、削減される。歯科用センサ位置付けおよび安定化デバイス７１０が、一体的に形成される場合、単一材料が、単一射出成形ステップにおいて使用されてもよい。代替として、２つの異なる材料または任意の数の材料が、デバイスを形成するために使用され得る。例えば、共成形または２ステップ射出成形プロセスもまた、採用されてもよい。
【００３４】
センサ面７１３は、好ましくは、歯科用センサ（図示せず）を保持するためのセンサ面７１３に接着剤によって、かつ可撤性に連結されるであろう、シース（図示せず）を含む。複数の伸長受容チャネル７１６、７１７、７１８は、その縦軸７１９に垂直な本体７１４内に位置付けられ、ドリルビットを収容するように構築される。ドリルビットは、関与する特定の患者生体構造に応じて、第１、第２、または第３の受容チャネル内に位置付けられてもよい。
【００３５】
開口７２４、７２５、および７２６は、インプラント孔が穿孔された後、患者の歯肉から、口腔内に延在する、ドリルビットのシャンク部分（図１Ａに最も良く示されるように）を受容するように定寸される。開口７２４、７２５、７２６は、伸長受容チャネル７１６、７１７、７１８を形成する。本発明のある実施形態では、開口７２４、７２５、７２６は、内径が約２．４５ｍｍ〜約２．２５ｍｍであるように定寸される。伸長受容チャネル７１６、７１７、７１８は、歯科用ドリルビットのシャンク部分またはインプラントドライバシャンクを摺動可能に収容するように構築される。しかしながら、伸長受容チャネル７１６、７１７、７１８はまた、歯科用位置付けおよび安定化デバイスが、ドリルビット上の定位置に来た後、デバイスが、ドリルビット上にしっかりと固定されるように、歯科用ドリルビットまたはインプラントドライバのシャンク部分に摩擦係合するように設計される。
【００３６】
アーム７２０、７２２は、本体７１４と一体的に形成されてもよいが、しかしながら、当業者は、アーム７２０、７２２を本体７１４に動作可能に連結する任意の構造が、採用されてもよいことを理解するであろう。アーム７２０、７２２は、本体３１４と動作可能かつ弾性的に連結するように作用する。位置付けデバイス７１０は、アーム７２０、７２２が、図７Ｂに最も良く見られる矢印によって示されるように、初期非作動位置（示される）から第２の作動位置７２８に弾性的かつ容易に移動するように、ポリプロピレンまたは同等物等の弾性または可撓性材料から形成される。外科医が、アームを挟持し、デバイスを第２の位置に作動させると、伸長受容チャネル７１６、７１７、７１８が、それに応答して開放し、歯科用ドリルビットまたはインプラントドライバ上への歯科用位置付けおよび安定化デバイス７１０の容易な配置を可能にし、次いで、伸長受容チャネル７１６、７１７、７１８が、チャネル７１６、７１７、７１８内で安定化されるように、センサをぴったりと囲繞する、初期非作動位置に弾性的に戻る。図７Ｂに最も良く見られるように、連結機構７３０は、初期非作動位置から第２の作動位置へのアーム７２０、７２２の作動を伸長受容チャネル７１６、７１７、７１８に伝達する。
【００３７】
当業者は、本発明の範囲内にある多数の実施形態が、可能性として考えられることを理解するであろう。例えば、アーム７２０、７２２およびセンサホルダ７１２は、本体３１８と一体的に形成される必要はなく、本発明の範囲から逸脱することなく、接着剤、接続タブ、および他のそのような手段によって、動作可能に接続されてもよい。
【００３８】
動作時、図７Ａおよび７Ｂの歯科用位置付けおよび安定化デバイスは、以下のように使用される。歯科用外科医は、最初に、隣接する歯に並んで平行位置に可能な限り近くなるように、患者の粘膜７０および骨６８を通して孔を穿孔する。外科医は、アクチュエータ部分７２０を把持し、それを内向きに挟持し、非作動初期位置から作動位置に移動させ、位置付けおよび安定化デバイス７１０が、次いで、特定の患者生体構造に応じて、伸長受容チャネル７１６、７１７、７１８のうちの１つを通して受容される、インプラントドリルビットによって摺動可能に受容され得るように、伸長チャネルを開放させる。センサ（図示せず）は、センサホルダ７１２の面７１３に動作可能に連結されるシース（図示せず）内に位置付けられ、ドリルビットのＸ線を撮影するための正確な位置に、咬合平面６６の上方の歯列弓６４の背後のアクチュエータ部分７１９によって左右に動作可能に位置付けられてもよい。ドリルビットが定位置に来ると、歯科医は、次に、Ｘ線を撮影し、それをコンピュータ画面上で読影する。ドリルビットが、隣接する歯構造と平行に位置付けられる場合、歯科用センサ位置付けデバイスは、ドリルビットから除去され、第２のより大きいドリルビットが、既存の孔を拡大させるために使用される。Ｘ線を撮影するプロセスは、歯科用インプラントが固着されるであろう孔が隣接する歯構造に平行であることを確実にするために、外科医の所望に応じて、何回でも繰り返されてもよい。Ｘ線が、ドリルビットの初期穿孔が平行ではないことを示す場合は、センサ位置付けデバイスは、除去され、第２の大きいドリルビットが、既存の孔を通して穿孔し、孔の経路を補正するために使用される。センサ位置付けデバイスは、次いで、ドリルビット上に配置され（ドリルは除去される）、別のＸ線が、位置を検証するために撮影される。歯科用外科医は、ドリルビットが、正確に位置付けられ、隣接する歯と実質的に平行であることを検証するために、所望に応じて、何回でもプロセスを繰り返してもよい。ドリルビットは、次いで、除去され、図８に最も良く見られるように、インプラント７２と交換される。
【００３９】
図８は、本発明による、センサ位置付けおよび安定化デバイス１０、７１０を用いて撮影されたＸ線を描写する。図から分かるように、図１Ｂに描写される角度が付けられたドリルビットと比較して、インプラント７２は、正確に位置付けられ、隣接する歯に実質的に平行であることが分かる。
【００４０】
有利には、本発明によるセンサ位置付けおよび安定化デバイスは、ドリルビットによって支持され、したがって、患者が、センサ／フィルムカートリッジまたはホルダを噛合する、手で定位置に保持する、または別様にデバイスを安定化させる必要性を排除する。センサ位置付けおよび安定化デバイスは、したがって、患者干渉を要求しない。
【００４１】
本発明は、特に、その例示的実施形態に関して図示および説明されたが、当業者は、形態および詳細の変更が、本発明の範囲および精神から逸脱することなく、行なわれてもよいことを認識および理解するであろう。
【図１Ａ】
2015509759.tif 000003
【図１Ｂ】
2015509759.tif 000004
【図２】
2015509759.tif 000005
【図３】
2015509759.tif 000006
【図４】
2015509759.tif 000007
【図５】
2015509759.tif 000008
【図６Ａ】
2015509759.tif 000009
【図６Ｂ】
2015509759.tif 000010
【図７Ａ】
2015509759.tif 000011
【図７Ｂ】
2015509759.tif 000012
【図８】
2015509759.tif 000013
【国際調査報告】
2015509759.tif 000014